(57)【要約】【課題】状況が改善されるように指南することが可能な状況改善助言装置を提供すること。【解決手段】制御回路３６は、温度センサ４５〜肌水分量センサ９５による検出データを根拠として現在の状況を把握する。そして、制御回路３６は、現在の状況が改善を要する状況であるとき、その現在の状況を示唆した上で、該現在の状況が改善されるために必要な事項として、助言を受けた者が執るべき行動が理解できる態様での助言をディスプレイ３７及びスピーカ３８を通じて行う。例えば、「皮膚温度が下がっていますので家に着いたらエアコンの温度を高めに設定して下さい。」のような助言を行う。【選択図】図２
2008119198.tif 000002
【特許請求の範囲】
【請求項１】
物事のその時のありさま、つまり状況が改善されるような助言を行う状況改善助言装置であって、
ユーザが所持するとともに監視対象となる状況を検出するセンサ装置により検出された状況を示唆するデータを根拠として現在の状況を把握する現状把握手段と、
前記現状把握手段により把握された現在の状況が改善を要する状況であるとき、現在の状況が改善されるために必要な事項を理解できる態様での助言を行う助言手段とを備えていることを特徴とする状況改善助言装置。
【請求項２】
請求項１に記載の状況改善助言装置において、
前記助言手段は、前記現状把握手段により把握された現在の状況が改善を要する状況であるとき、現在の状況が改善されるために必要な事項として、助言を受けた者が執るべき行動が理解できる態様での助言を行うことを特徴とする状況改善助言装置。
【請求項３】
請求項２に記載の状況改善助言装置において、
前記助言手段は、前記現状把握手段により把握された現在の状況が改善を要する状況であるとき、その現在の状況を示唆した上で、該現在の状況が改善されるために必要な事項として、助言を受けた者が執るべき行動が理解できる態様での助言を行うことを特徴とする状況改善助言装置。
【請求項４】
請求項１〜請求項３のいずれか１項に記載の状況改善助言装置において、
前記助言手段は、前記助言を行って以後、前記現状把握手段により把握された新たな現在の状況が改善を要する状況でなくなったとき、前記助言を断ち切ることを特徴とする状況改善助言装置。
【請求項５】
請求項４に記載の状況改善助言装置において、
前記助言手段は、前記助言を行って以後、前記現状把握手段により把握された新たな現在の状況が改善を要する状況でなくなったとき、その新たな現在の状況を示唆した上で、前記助言を断ち切ることを特徴とする状況改善助言装置。
【発明の詳細な説明】
【技術分野】
【０００１】
本発明は、物事のその時のありさま、つまり状況が改善されるような助言を行う状況改善助言装置に関する。
【背景技術】
【０００２】
特許文献１には、運転者が所持する携帯機に発汗センサを設けるとともに、それにより検出された運転者の発汗量を示唆するデータを携帯機から送信し、そのデータを受信した自動車側において、同データから把握される運転者の体調を表示部に表示するようにした体調監視システムに関する技術が開示されている。
【０００３】
また、同特許文献１には、発汗センサに代えて又は加えて、心拍（脈拍）センサや血圧センサを携帯機に設けるとともに、このことにより、運転者の発汗量に代えて又は加えて、運転者の心拍（脈拍）や血圧から把握される運転者の体調を表示するようにしてもよいことが記載されている。
【特許文献１】特開２００５−３４５２０号公報（段落番号００２３、００２６、００４２）
【発明の開示】
【発明が解決しようとする課題】
【０００４】
しかしながら、特許文献１に開示されている体調監視システムでは、発汗センサ等による検出データを根拠とした運転者の体調そのものを表示しているに過ぎず、運転者の体調が優れないような場合にあって、体調が優れていないという事実は報知されるが、だからどのようにすべきかといったいわば助言的なことは行われない。
【０００５】
本発明は、このような問題点に着目してなされたものであって、その目的は、状況が改善されるように指南することが可能な状況改善助言装置を提供することにある。
【課題を解決するための手段】
【０００６】
上記の目的を達成するために、請求項１に記載の発明は、物事のその時のありさま、つまり状況が改善されるような助言を行う状況改善助言装置であって、ユーザが所持するとともに監視対象となる状況を検出するセンサ装置により検出された状況を示唆するデータを根拠として現在の状況を把握する現状把握手段と、前記現状把握手段により把握された現在の状況が改善を要する状況であるとき、現在の状況が改善されるために必要な事項を理解できる態様での助言を行う助言手段とを備えていることをその要旨としている。
【０００７】
同構成によると、現在の状況が改善を要する状況であるとき、現在の状況が改善されるために必要な事項を理解できる態様での助言が行われるので、この助言から理解できる事項を満足すれば状況を改善できるようになる。つまり、状況が改善されるように指南することができる。
【０００８】
請求項２に記載の発明は、請求項１に記載の状況改善助言装置において、前記助言手段は、前記現状把握手段により把握された現在の状況が改善を要する状況であるとき、現在の状況が改善されるために必要な事項として、助言を受けた者が執るべき行動が理解できる態様での助言を行うことをその要旨としている。
【０００９】
同構成によると、現在の状況が改善を要する状況であるとき、助言を受けた者が執るべき行動が理解できる態様での助言が行われるので、それを受ける者にしてみれば、どのような行動を執れば状況が改善されるのか明白になる。つまり、状況改善の高効率化に貢献できる。
【００１０】
請求項３に記載の発明は、請求項２に記載の状況改善助言装置において、前記助言手段は、前記現状把握手段により把握された現在の状況が改善を要する状況であるとき、その現在の状況を示唆した上で、該現在の状況が改善されるために必要な事項として、助言を受けた者が執るべき行動が理解できる態様での助言を行うことをその要旨としている。
【００１１】
同構成によると、現在の状況が改善を要する状況であるとき、その現在の状況が示唆された上で、助言を受けた者が執るべき行動が理解できる態様での助言が行われるので、このような助言を受ける者にしてみれば、現在の状況が示唆されることで、なぜ助言に沿った行動を執らなければならないのかその理由が明白になる。つまり、なぜ助言に沿った行動を執らなければならないかその根拠を示唆することで、助言に沿った行動を確実に執らせることができる。
【００１２】
請求項４に記載の発明は、請求項１〜請求項３のいずれか１項に記載の状況改善助言装置において、前記助言手段は、前記助言を行って以後、前記現状把握手段により把握された新たな現在の状況が改善を要する状況でなくなったとき、前記助言を断ち切ることをその要旨としている。
【００１３】
同構成によると、改善を要する状況が改善されれば助言が断ち切られるので、必要以上に助言が行われることを回避できる。
請求項５に記載の発明は、請求項４に記載の状況改善助言装置において、前記助言手段は、前記助言を行って以後、前記現状把握手段により把握された新たな現在の状況が改善を要する状況でなくなったとき、その新たな現在の状況を示唆した上で、前記助言を断ち切ることをその要旨としている。
【００１４】
同構成によると、新たな現在の状況が改善を要する状況でなくなったとき、その新たな現在の状況が示唆された上で、状況改善目的の助言が断ち切られるので、これを受ける者にしてみれば、なぜ助言が断ち切られるのかその理由が明白になる。つまり、なぜ助言が断ち切られるのかその根拠を示唆することで、必要以上の行動を執らせないようにできる。
【発明の効果】
【００１５】
本発明は、以上のように構成されているため、次のような効果を奏する。
本発明によれば、状況が改善されるように指南することができる。
【発明を実施するための最良の形態】
【００１６】
以下、本発明を、監視対象となる状況として、ユーザの生活環境と同ユーザの体調との両者を監視するとともに、それらの状況が改善されるような助言を行う状況改善助言装置に具体化した一実施形態を説明する。
【００１７】
図１（ａ），（ｂ）に示すように、状況改善助言装置１は、ユーザの腕を取り巻くように装着可能な可撓性を有するバンド２の長手方向中央部に、略円板形状をなす装置本体３が設けられている。そして、その装置本体３の一側方には、バンド２の長手方向に沿って温度センサ装置４、湿度センサ装置５、紫外線量センサ装置６の順にそれらが連接されるとともに、同装置本体３の他側方には、バンド２の長手方向に沿って体温センサ装置７、心拍数センサ装置８、肌水分量センサ装置９の順にそれらが連接されている。
【００１８】
尚、温度センサ装置４、湿度センサ装置５、紫外線量センサ装置６、体温センサ装置７、心拍数センサ装置８、肌水分量センサ装置９、の各々は、装置本体３よりも一回り程度小さな略円板形状をなすとともに、互いに同一形状をなしている。また、これら温度センサ装置４〜肌水分量センサ装置９の各々は、装置本体３の厚みと略同じ厚みを有している。
【００１９】
弾性変形可能なバンド２の長手方向中央部には、一対の取付用孔２１，２２が設けられるとともに、取付用孔２１は、バンド２の長手方向中央から一側方へ少しだけ偏倚した位置に設けられ、取付用孔２２は、バンド２の長手方向中央から他側方へ少しだけ偏倚した位置に設けられている。そして、装置本体３の裏面中央部には、前記取付用孔２１，２２に対応するように一対の突起３１，３２が設けられるとともに、突起３１は取付用孔２１に嵌合され、突起３２は取付用孔２２に嵌合され、これにより、バンド２に対して装置本体３が着脱可能に取り付けられている。
【００２０】
突起３１，３２の外径は、取付用孔２１，２２の穴径よりも若干大きく設定されるとともに、これにより、突起３１，３２は、バンド２の弾性力に抗して、取付用孔２１，２２に対して圧入状態で取り付けられている。また、装置本体３の裏面からの突起３１，３２の突出長さは、取付用孔２１，２２の深さ（＝バンド２の厚み）よりも長く設定されるとともに、これにより、バンド２がユーザの腕に装着されたとき、突起３１，３２の先端面は、ユーザの腕に密着状態で接触されるようになっている。ただし、バンド２の裏面からの突起３１，３２の突出長さは、ユーザの腕にバンド２が装着されている状態にあって、同ユーザが腕に痛みを感じない程度に設定されている。尚、突起３１，３２の先端面に丸みを持たせる等して、ユーザが腕に痛みを感じないように配慮してもよい。
【００２１】
尚、突起３１，３２の先端面、つまりユーザの腕に対する接触面には、状況改善助言装置１と自動車との間において、ユーザの人体を信号伝送路とする人体内通信が可能となるように、基準電位用電極及び通信用電極が露出されているが、これについては本実施形態の要部ではないため、詳細な説明を割愛する。ちなみに、基準電位用電極は、突起３１の先端面に設けられるとともに、通信用電極は、突起３２の先端面に設けられている。
【００２２】
また、バンド２には、取付用孔２１からバンド２の長手方向一側方へ向かって取付用孔２３〜２５が互いに離間するように設けられるとともに、取付用孔２２からバンド２の長手方向他側方へ向かって取付用孔２６〜２８が互いに離間するように設けられている。尚、取付用孔２３〜２８の穴径は、互いに同じ大きさに設定されている。
【００２３】
温度センサ装置４の裏面中央部には、前記取付用孔２３に対応するように突起４１が設けられるとともに、その突起４１は取付用孔２３に嵌合され、これにより、バンド２に対して温度センサ装置４が着脱可能に取り付けられている。
【００２４】
突起４１の外径は、取付用孔２３の穴径よりも若干大きく設定されるとともに、これにより、突起４１は、バンド２の弾性力に抗して、取付用孔２３に対して圧入状態で取り付けられている。また、温度センサ装置４の裏面からの突起４１の突出長さは、取付用孔２３の深さ（＝バンド２の厚み）よりも長く設定されるとともに、これにより、バンド２がユーザの腕に装着されたとき、突起４１の先端面は、ユーザの腕に密着状態で接触されるようになっている。ただし、バンド２の裏面からの突起４１の突出長さは、ユーザの腕にバンド２が装着されている状態にあって、同ユーザが腕に痛みを感じない程度に設定されている。尚、突起４１の先端面に丸みを持たせる等して、ユーザが腕に痛みを感じないように配慮してもよい。
【００２５】
尚、温度センサ装置４の表面、つまり突起４１が設けられている面とは反対側の面には、温度センサが露出されるとともに、この温度センサによりユーザの生活環境の１つを示すものとして、ユーザを取り巻いている環境の温度が検出されるようになっている。
【００２６】
湿度センサ装置５の裏面中央部には、前記取付用孔２４に対応するように突起５１が設けられるとともに、その突起５１は取付用孔２４に嵌合され、これにより、バンド２に対して湿度センサ装置５が着脱可能に取り付けられている。
【００２７】
突起５１の外径は、取付用孔２４の穴径よりも若干大きく設定されるとともに、これにより、突起５１は、バンド２の弾性力に抗して、取付用孔２４に対して圧入状態で取り付けられている。また、湿度センサ装置５の裏面からの突起５１の突出長さは、取付用孔２４の深さ（＝バンド２の厚み）よりも長く設定されるとともに、これにより、バンド２がユーザの腕に装着されたとき、突起５１の先端面は、ユーザの腕に密着状態で接触されるようになっている。ただし、バンド２の裏面からの突起５１の突出長さは、ユーザの腕にバンド２が装着されている状態にあって、同ユーザが腕に痛みを感じない程度に設定されている。尚、突起５１の先端面に丸みを持たせる等して、ユーザが腕に痛みを感じないように配慮してもよい。
【００２８】
尚、湿度センサ装置５の表面、つまり突起５１が設けられている面とは反対側の面には、湿度センサが露出されるとともに、この湿度センサによりユーザの生活環境の１つを示すものとして、ユーザを取り巻いている環境の湿度が検出されるようになっている。
【００２９】
紫外線量センサ装置６の裏面中央部には、前記取付用孔２５に対応するように突起６１が設けられるとともに、その突起６１は取付用孔２５に嵌合され、これにより、バンド２に対して紫外線量センサ装置６が着脱可能に取り付けられている。
【００３０】
突起６１の外径は、取付用孔２５の穴径よりも若干大きく設定されるとともに、これにより、突起６１は、バンド２の弾性力に抗して、取付用孔２５に対して圧入状態で取り付けられている。また、紫外線量センサ装置６の裏面からの突起６１の突出長さは、取付用孔２５の深さ（＝バンド２の厚み）よりも長く設定されるとともに、これにより、バンド２がユーザの腕に装着されたとき、突起６１の先端面は、ユーザの腕に密着状態で接触されるようになっている。ただし、バンド２の裏面からの突起６１の突出長さは、ユーザの腕にバンド２が装着されている状態にあって、同ユーザが腕に痛みを感じない程度に設定されている。尚、突起６１の先端面に丸みを持たせる等して、ユーザが腕に痛みを感じないように配慮してもよい。
【００３１】
尚、紫外線量センサ装置６の表面、つまり突起６１が設けられている面とは反対側の面には、紫外線量センサが露出されるとともに、この紫外線量センサによりユーザの生活環境の１つを示すものとして、ユーザに降り注いでいる紫外線の量が検出されるようになっている。
【００３２】
体温センサ装置７の裏面中央部には、前記取付用孔２６に対応するように突起７１が設けられるとともに、その突起７１は取付用孔２６に嵌合され、これにより、バンド２に対して体温センサ装置７が着脱可能に取り付けられている。
【００３３】
突起７１の外径は、取付用孔２６の穴径よりも若干大きく設定されるとともに、これにより、突起７１は、バンド２の弾性力に抗して、取付用孔２６に対して圧入状態で取り付けられている。また、体温センサ装置７の裏面からの突起７１の突出長さは、取付用孔２６の深さ（＝バンド２の厚み）よりも長く設定されるとともに、これにより、バンド２がユーザの腕に装着されたとき、突起７１の先端面は、ユーザの腕に密着状態で接触されるようになっている。ただし、バンド２の裏面からの突起７１の突出長さは、ユーザの腕にバンド２が装着されている状態にあって、同ユーザが腕に痛みを感じない程度に設定されている。尚、突起７１の先端面に丸みを持たせる等して、ユーザが腕に痛みを感じないように配慮してもよい。
【００３４】
尚、突起７１の先端面、つまりユーザの腕に対する接触面には、体温センサが露出されるとともに、この体温センサによりユーザの体調の１つを示すものとして、ユーザの皮膚温度が検出されるようになっている。
【００３５】
心拍数センサ装置８の裏面中央部には、前記取付用孔２７に対応するように突起８１が設けられるとともに、その突起８１は取付用孔２７に嵌合され、これにより、バンド２に対して心拍数センサ装置８が着脱可能に取り付けられている。
【００３６】
突起８１の外径は、取付用孔２７の穴径よりも若干大きく設定されるとともに、これにより、突起８１は、バンド２の弾性力に抗して、取付用孔２７に対して圧入状態で取り付けられている。また、心拍数センサ装置８の裏面からの突起８１の突出長さは、取付用孔２７の深さ（＝バンド２の厚み）よりも長く設定されるとともに、これにより、バンド２がユーザの腕に装着されたとき、突起８１の先端面は、ユーザの腕に密着状態で接触されるようになっている。ただし、バンド２の裏面からの突起８１の突出長さは、ユーザの腕にバンド２が装着されている状態にあって、同ユーザが腕に痛みを感じない程度に設定されている。尚、突起８１の先端面に丸みを持たせる等して、ユーザが腕に痛みを感じないように配慮してもよい。
【００３７】
尚、突起８１の先端面、つまりユーザの腕に対する接触面には、心拍数センサが露出されるとともに、この心拍数センサによりユーザの体調の１つを示すものとして、ユーザの心拍数が検出されるようになっている。
【００３８】
肌水分量センサ装置９の裏面中央部には、前記取付用孔２８に対応するように突起９１が設けられるとともに、その突起９１は取付用孔２８に嵌合され、これにより、バンド２に対して肌水分量センサ装置９が着脱可能に取り付けられている。
【００３９】
突起９１の外径は、取付用孔２８の穴径よりも若干大きく設定されるとともに、これにより、突起９１は、バンド２の弾性力に抗して、取付用孔２８に対して圧入状態で取り付けられている。また、肌水分量センサ装置９の裏面からの突起９１の突出長さは、取付用孔２８の深さ（＝バンド２の厚み）よりも長く設定されるとともに、これにより、バンド２がユーザの腕に装着されたとき、突起９１の先端面は、ユーザの腕に密着状態で接触されるようになっている。ただし、バンド２の裏面からの突起９１の突出長さは、ユーザの腕にバンド２が装着されている状態にあって、同ユーザが腕に痛みを感じない程度に設定されている。尚、突起９１の先端面に丸みを持たせる等して、ユーザが腕に痛みを感じないように配慮してもよい。
【００４０】
尚、突起９１の先端面、つまりユーザの腕に対する接触面には、肌水分量センサが露出されるとともに、この肌水分量センサによりユーザの体調の１つを示すものとして、ユーザの肌水分量が検出されるようになっている。
【００４１】
装置本体３の外周面には、メスコネクタ３３が凹設されるとともに、装置本体３の中心を挟んでメスコネクタ３３が設けられる位置とは反対側の位置には、メスコネクタ３４が凹設されている。
【００４２】
温度センサ装置４の外周面には、前記メスコネクタ３３に適合するオスコネクタ４２が突設されるとともに、そのオスコネクタ４２はメスコネクタ３３に嵌合され、これにより、装置本体３に対して温度センサ装置４が着脱可能に取り付けられている。尚、温度センサ装置４においてオスコネクタ４２が設けられている側とは反対側の外周面には、メスコネクタ４３が凹設されている。
【００４３】
湿度センサ装置５の外周面には、前記メスコネクタ４３に適合するオスコネクタ５２が突設されるとともに、そのオスコネクタ５２はメスコネクタ４３に嵌合され、これにより、温度センサ装置４に対して湿度センサ装置５が着脱可能に取り付けられている。尚、湿度センサ装置５においてオスコネクタ５２が設けられている側とは反対側の外周面には、メスコネクタ５３が凹設されている。
【００４４】
紫外線量センサ装置６の外周面には、前記メスコネクタ５３に適合するオスコネクタ６２が突設されるとともに、そのオスコネクタ６２はメスコネクタ５３に嵌合され、これにより、湿度センサ装置５に対して紫外線量センサ装置６が着脱可能に取り付けられている。尚、紫外線量センサ装置６においてオスコネクタ６２が設けられている側とは反対側の外周面には、メスコネクタ６３が凹設されているが、本実施形態では、このメスコネクタ６３に嵌合されるオスコネクタは存在していない。
【００４５】
体温センサ装置７の外周面には、前記メスコネクタ３４に適合するオスコネクタ７２が突設されるとともに、そのオスコネクタ７２はメスコネクタ３４に嵌合され、これにより、装置本体３に対して体温センサ装置７が着脱可能に取り付けられている。尚、体温センサ装置７においてオスコネクタ７２が設けられている側とは反対側の外周面には、メスコネクタ７３が凹設されている。
【００４６】
心拍数センサ装置８の外周面には、前記メスコネクタ７３に適合するオスコネクタ８２が突設されるとともに、そのオスコネクタ８２はメスコネクタ７３に嵌合され、これにより、体温センサ装置７に対して心拍数センサ装置８が着脱可能に取り付けられている。尚、心拍数センサ装置８においてオスコネクタ８２が設けられている側とは反対側の外周面には、メスコネクタ８３が凹設されている。
【００４７】
肌水分量センサ装置９の外周面には、前記メスコネクタ８３に適合するオスコネクタ９２が突設されるとともに、そのオスコネクタ９２はメスコネクタ８３に嵌合され、これにより、心拍数センサ装置８に対して肌水分量センサ装置９が着脱可能に取り付けられている。尚、肌水分量センサ装置９においてオスコネクタ９２が設けられている側とは反対側の外周面には、メスコネクタ９３が凹設されているが、本実施形態では、このメスコネクタ９３に嵌合されるオスコネクタは存在していない。
【００４８】
ここで、本実施形態において前記メスコネクタ３３，３４，４３，５３，６３，７３，８３，９３は、互いに同一構成であるとともに、前記オスコネクタ４２，５２，６２，７２，８２，９２は、互いに同一構成である。従って、本実施形態では、オスコネクタ４２，５２，６２，７２，８２，９２の各々は、それが設けられている自センサ装置のメスコネクタを除いて、メスコネクタ３３，３４，４３，５３，６３，７３，８３，９３のどれにも適合する。
【００４９】
次に、状況改善助言装置１の電気的構成について説明する。
図２に示すように、状況改善助言装置１の装置本体３には、メスコネクタ３３及びオスコネクタ４２を介して温度センサ装置４が電気的に接続されるとともに、その温度センサ装置４には、メスコネクタ４３及びオスコネクタ５２を介して湿度センサ装置５が電気的に接続され、さらに、その湿度センサ装置５には、メスコネクタ５３及びオスコネクタ６２を介して紫外線量センサ装置６が電気的に接続されている。
【００５０】
また、状況改善助言装置１の装置本体３には、メスコネクタ３４及びオスコネクタ７２を介して体温センサ装置７が電気的に接続されるとともに、その体温センサ装置７には、メスコネクタ７３及びオスコネクタ８２を介して心拍数センサ装置８が電気的に接続され、さらに、その心拍数センサ装置８には、メスコネクタ８３及びオスコネクタ９２を介して肌水分量センサ装置９が電気的に接続されている。
【００５１】
紫外線量センサ装置６は、その表面側に露出された紫外線量センサ６５により紫外線量を検出するとともに、紫外線量を示唆するデータを通信回路６６により装置本体３にとって扱いやすい形式に変換し、それをオスコネクタ６２を介して外部装置（この場合、湿度センサ装置５）に出力する。また、紫外線量センサ装置６は、メスコネクタ６３を介して外部装置（この場合、メスコネクタ６３を介して接続される外部装置は存在していない）から取得したデータを、通信回路６６及びオスコネクタ６２を介して外部装置（この場合、湿度センサ装置５）に出力する。
【００５２】
湿度センサ装置５は、その表面側に露出された湿度センサ５５により環境湿度を検出するとともに、環境湿度を示唆するデータを通信回路５６により装置本体３にとって扱いやすい形式に変換し、それをオスコネクタ５２を介して外部装置（この場合、温度センサ装置４）に出力する。また、湿度センサ装置５は、メスコネクタ５３を介して外部装置（この場合、紫外線量センサ装置６）から取得したデータを、通信回路５６及びオスコネクタ５２を介して外部装置（この場合、温度センサ装置４）に出力する。
【００５３】
温度センサ装置４は、その表面側に露出された温度センサ４５により環境温度を検出するとともに、環境温度を示唆するデータを通信回路４６により装置本体３にとって扱いやすい形式に変換し、それをオスコネクタ４２を介して外部装置（この場合、装置本体３）に出力する。また、温度センサ装置４は、メスコネクタ４３を介して外部装置（この場合、湿度センサ装置５）から取得したデータを、通信回路４６及びオスコネクタ４２を介して外部装置（この場合、装置本体３）に出力する。
【００５４】
肌水分量センサ装置９は、その裏面側に露出された肌水分量センサ９５によりユーザの肌水分量を検出するとともに、ユーザの肌水分量を示唆するデータを通信回路９６により装置本体３にとって扱いやすい形式に変換し、それをオスコネクタ９２を介して外部装置（この場合、心拍数センサ装置８）に出力する。また、肌水分量センサ装置９は、メスコネクタ９３を介して外部装置（この場合、メスコネクタ９３を介して接続される外部装置は存在していない）から取得したデータを、通信回路９６及びオスコネクタ９２を介して外部装置（この場合、心拍数センサ装置８）に出力する。
【００５５】
心拍数センサ装置８は、その裏面側に露出された心拍数センサ８５によりユーザの心拍数を検出するとともに、ユーザの心拍数を示唆するデータを通信回路８６により装置本体３にとって扱いやすい形式に変換し、それをオスコネクタ８２を介して外部装置（この場合、体温センサ装置７）に出力する。また、心拍数センサ装置８は、メスコネクタ８３を介して外部装置（この場合、肌水分量センサ装置９）から取得したデータを、通信回路８６及びオスコネクタ８２を介して外部装置（この場合、体温センサ装置７）に出力する。
【００５６】
体温センサ装置７は、その裏面側に露出された体温センサ７５によりユーザの皮膚温度を検出するとともに、ユーザの皮膚温度を示唆するデータを通信回路７６により装置本体３にとって扱いやすい形式に変換し、それをオスコネクタ７２を介して外部装置（この場合、装置本体３）に出力する。また、体温センサ装置７は、メスコネクタ７３を介して外部装置（この場合、心拍数センサ装置８）から取得したデータを、通信回路７６及びオスコネクタ７２を介して外部装置（この場合、装置本体３）に出力する。
【００５７】
装置本体３は、メスコネクタ３３を介して外部装置（この場合、温度センサ装置４）から取得したデータがどのセンサ装置により検出されたものであるかを通信回路３５により特定するとともに、メスコネクタ３４を介して外部装置（この場合、体温センサ装置７）から取得したデータがどのセンサ装置により検出されたものであるかを通信回路３５により特定する。そして、同装置本体３は、該特定結果とデータのレベルとが関連付けされたデータが通信回路３５から制御回路３６に出力されたとき、そのデータが制御回路３６により解析される。そして、同装置本体３は、該解析結果から現在の状況が制御回路３６により把握されるとともに、その現在の状況が改善を要する状況であるとき、制御回路３６によりディスプレイ３７やスピーカ３８が作動されるとともに、これにより、状況が改善されるような助言が行われるようになっている。
【００５８】
次に、改善を要する状況の具体例を、それが改善されるような助言の具体例とともに挙げる。
（具体例１）
ここでは、ユーザが車両の運転を終えた後、駐車場から自宅まで帰宅するに際して、冬場の如く低温乾燥状態に長時間に亘ってさらされる場合を想定する。この場合、ユーザの皮膚温度が下がるとともに、ユーザの肌水分量が少なくなることが考えられ、そうすると、体温センサ７５により検出される皮膚温度が基準皮膚温度未満となり、また、肌水分量センサ９５により検出される肌水分量が基準肌水分量未満となる。よって、この場合、制御回路３６は、ユーザの皮膚温度が基準皮膚温度未満であることを示唆するデータを取得するとともに、ユーザの肌水分量が基準肌水分量未満であることを示唆するデータを取得することになる。
【００５９】
従って、この場合、制御回路３６は、ユーザの皮膚温度が基準皮膚温度まで上昇されるように、また、ユーザの肌水分量が基準肌水分量まで高められるようになることを目的として、ディスプレイ３７及びスピーカ３８を作動させる。つまり、この場合、制御回路３６は、「皮膚温度が下がっていますので家に着いたらエアコンの温度を高めに設定して下さい。また、肌が乾燥気味ですので加湿器を運転して下さい。」という内容のメッセージを文字や絵でディスプレイ３７上に表示するとともに、かかる内容の音声メッセージをスピーカ３８から流す。
【００６０】
まとめると、本実施形態の状況改善助言装置１では、制御回路３６により把握された現在の状況が改善を要する状況であるとき、現在の状況が改善されるために必要な事項を理解できる態様での助言がディスプレイ３７及びスピーカ３８を通じて行われるようになっている。尚、この助言、つまり上記メッセージのうち「皮膚温度が下がっています」や「肌が乾燥気味です」というのは、現在の状況を示すものであり、また、上記メッセージのうち「家に着いたらエアコンの温度を高めに設定して下さい」や「加湿器を運転して下さい」というのは、助言を受けた者が執るべき行動を示すものである。従って、本実施形態の状況改善助言装置１では、現在の状況が改善を要する状況であるとき、その現在の状況が示唆された上で、該現在の状況が改善されるために必要な事項として、助言を受けた者が執るべき行動が理解できる態様での助言が行われるようになっている。
【００６１】
ところで、前記ユーザが帰宅した後、上記メッセージに沿って自宅のエアコン温度が高めに設定されるとともに、加湿器が運転されると、やがてユーザの皮膚温度が適温まで上昇するとともに、ユーザの肌水分量が適量まで高められる。よって、この場合、制御回路３６は、ユーザの皮膚温度が基準皮膚温度に対して所定の範囲内であることを示唆するデータを取得するとともに、ユーザの肌水分量が基準肌水分量に対して所定の範囲内であることを示唆するデータを取得することになる。
【００６２】
従って、この場合、制御回路３６は、皮膚温度や肌水分量が改善されて正常値に戻ったことをユーザに知らせることを目的として、ディスプレイ３７及びスピーカ３８を作動させる。つまり、この場合、制御回路３６は、「皮膚温度が回復しましたのでエアコン温度を下げてもいいですよ。また、肌水分量も回復しましたので加湿器を弱めてもいいですよ。」という内容のメッセージを文字や絵でディスプレイ３７上に表示するとともに、かかる内容の音声メッセージをスピーカ３８から流す。
【００６３】
まとめると、本実施形態の状況改善助言装置１では、状況改善目的の助言が行われて以後、制御回路３６により把握された新たな現在の状況が改善を要する状況でなくなったとき、先の助言、つまり状況改善目的の助言が断ち切られるようになっている。尚、先の助言に代わる新たな助言、つまり上記メッセージのうち「皮膚温度が回復しました」や「肌水分量も回復しました」というのは、新たな現在の状況を示すものであり、また、上記メッセージのうち「エアコン温度を下げてもいいですよ」や「加湿器を弱めてもいいですよ」というのは、助言を受けた者が新たに執るべき行動を示すものであり、且つ先の助言を断ち切るものに他ならない。従って、本実施形態の状況改善助言装置１では、先の助言が行われて以後、新たな現在の状況が改善を要する状況でなくなったとき、その新たな現在の状況が示唆された上で、先の助言が断ち切られるようになっている。
【００６４】
（具体例２）
ここでは、ユーザが車両の運転中に興奮状態となった場合を想定する。この場合、血流の上昇に伴ってユーザの皮膚温度が上昇するとともに、ユーザの心拍数が多くなることが考えられ、そうすると、体温センサ７５により検出される皮膚温度が基準皮膚温度を超えるようになり、また、心拍数センサ８５により検出される心拍数が基準心拍数を超えるようになる。よって、この場合、制御回路３６は、ユーザの皮膚温度が基準皮膚温度を超えていることを示唆するデータを取得するとともに、ユーザの心拍数が基準心拍数を超えていることを示唆するデータを取得することになる。
【００６５】
従って、この場合、制御回路３６は、ユーザの皮膚温度が基準皮膚温度まで下がるように、また、ユーザの心拍数が基準心拍数まで低下されるようになることを目的として、ディスプレイ３７及びスピーカ３８を作動させる。つまり、この場合、制御回路３６は、「少し興奮気味ですよ。空調温度を下げてリラックスして下さい。好きな音楽でもかけませんか。」という内容のメッセージを文字や絵でディスプレイ３７上に表示するとともに、かかる内容の音声メッセージをスピーカ３８から流す。
【００６６】
尚、上記メッセージのうち「少し興奮気味ですよ」というのは、現在の状況を示すものであり、また、上記メッセージのうち「空調温度を下げてリラックスして下さい」や「好きな音楽でもかけませんか」というのは、助言を受けた者が執るべき行動を示すものである。従って、この具体例２についても、先の具体例１と同様に、現在の状況が改善を要する状況であるとき、その現在の状況が示唆された上で、該現在の状況が改善されるために必要な事項として、助言を受けた者が執るべき行動が理解できる態様での助言が行われるようになっていると言える。
【００６７】
ところで、前記ユーザにより上記メッセージに沿って車両の空調温度が下げられるとともに、好みの音楽がかけられると、やがてユーザはリラックスできるようになり、よってユーザの皮膚温度が適温まで下がるとともに、ユーザの心拍数が適数まで低下される。よって、この場合、制御回路３６は、ユーザの皮膚温度が基準皮膚温度に対して所定の範囲内であることを示唆するデータを取得するとともに、ユーザの心拍数が基準心拍数に対して所定の範囲内であることを示唆するデータを取得することになる。
【００６８】
従って、この場合、制御回路３６は、皮膚温度や心拍数が改善されて正常値に戻ったことをユーザに知らせることを目的として、ディスプレイ３７及びスピーカ３８を作動させる。つまり、この場合、制御回路３６は、「興奮状態が解けましたのでエアコンや音楽を切ってもいいですよ。」という内容のメッセージを文字や絵でディスプレイ３７上に表示するとともに、かかる内容の音声メッセージをスピーカ３８から流す。
【００６９】
尚、上記メッセージのうち「興奮状態が解けました」というのは、新たな現在の状況を示すものであり、また、上記メッセージのうち「エアコンや音楽を切ってもいいですよ」というのは、助言を受けた者が新たに執るべき行動を示すものであり、且つ先の助言を断ち切るものに他ならない。従って、この具体例２についても、先の具体例１と同様に、先の助言が行われて以後、新たな現在の状況が改善を要する状況でなくなったとき、その新たな現在の状況が示唆された上で、先の助言が断ち切られるようになっていると言える。
【００７０】
一方、ディスプレイ３７及びスピーカ３８を通じて先の助言が行われたにも拘わらず、ユーザが助言に沿った行動を執らなかった場合、或いは助言通りの行動を執ったにも拘わらず、状況が改善されなかった場合には、興奮状態を示唆する検出データが制御回路３６により取得されることになる。つまり、この場合、ユーザの皮膚温度は依然として高いままであるとともに、心拍数も多いままである。
【００７１】
従って、このように症状が改善されないとき、ディスプレイ３７及びスピーカ３８を通じて先の助言が行われるのであるが、ここで、本実施形態において制御回路３６は、先の助言を行ってから症状が改善されないまま所定の時間（例えば、５分間）が経過したとき、ディスプレイ３７及びスピーカ３８を通じて新たな助言を行うようになっている。つまり、この場合、制御回路３６は、「興奮状態が解けませんので少し車を止めて休みませんか。」という内容のメッセージを文字や絵でディスプレイ３７上に表示するとともに、かかる内容の音声メッセージをスピーカ３８から流す。
【００７２】
尚、上記メッセージのうち「興奮状態が解けません」というのは、これまた現在の状況を示すものであり、また、「少し車を止めて休みませんか」というのは、これまた助言を受けた者が執るべき行動を示すものである。従って、ここでも、現在の状況が改善を要する状況であるとき、その現在の状況が示唆された上で、該現在の状況が改善されるために必要な事項として、助言を受けた者が執るべき行動が理解できる態様での助言が行われるようになっていると言える。
【００７３】
ちなみに、症状が改善されない場合のように助言を要する期間が長い場合、その期間の全体に亘って同じ助言が連続して繰り返されるものとしたとき、それを受ける者にしてみれば、非常に煩わしい。従って、このような煩わしさを回避するべく、助言を要する期間内において、所定の周期（例えば、１分間に１回）で助言を行うようにしてもよい。或いは、最初の１回或いは２回についてはディスプレイ３７及びスピーカ３８を通じた助言を行うとともに、それ以降についてはディスプレイ３７のみによる助言を行うようにしてもよい。
【００７４】
（具体例３）
ここでは、ユーザが車両の運転を終えた後、徒歩で帰宅途中に自立できない程に体調を崩した場合を想定する。例えば、夏場の昼間の如く極めて高温多湿な状態にさらされてユーザが熱中症を患った場合、制御回路３６は、温度センサ４５、湿度センサ５５、紫外線量センサ６５、体温センサ７５、心拍数センサ８５、肌水分量センサ９５による検出データとして、普段見受けられないような特異なデータを取得することになる。
【００７５】
従って、この場合、制御回路３６は、「この人は熱中症にかかりましたので誰か救急車を呼んで下さい。また、日陰で水を飲ませてあげて下さい。」という内容のメッセージを文字や絵でディスプレイ３７上に表示するとともに、かかる内容の音声メッセージをスピーカ３８から流す。
【００７６】
尚、上記メッセージのうち「この人は熱中症にかかりました」というのは、現在の状況を示すものであり、また、上記メッセージのうち「誰か救急車を呼んで下さい」や「日陰で水を飲ませてあげて下さい」というのは、助言を受けた者が執るべき行動を示すものである。従って、この具体例３についても、先の具体例１や具体例２と同様に、現在の状況が改善を要する状況であるとき、その現在の状況が示唆された上で、該現在の状況が改善されるために必要な事項として、助言を受けた者が執るべき行動が理解できる態様での助言が行われるようになっていると言える。
【００７７】
特に、この具体例３では、状況改善助言装置１の装着者本人が自分で状況を改善できないような場合でも、スピーカ３８からの音声メッセージを聞きつけた者が、ディスプレイ３７の表示内容を確認しながら、かかる助言に沿った行動（応急措置や通報）を執ることで他人の状況を改善することができるようになり、この点において非常に有意義である。
【００７８】
ところで、このように他人により上記メッセージに沿って応急措置が行われると、やがてユーザの体調が回復の兆しを見せ始め、よって体温や心拍数、それに肌水分量が適値に向かうこととなる。従って、この場合、制御回路３６は、「体温や水分量が戻りつつありますが、念のため病院に連れて行ってあげて下さい。」という内容のメッセージを文字や絵でディスプレイ３７上に表示するとともに、かかる内容の音声メッセージをスピーカ３８から流す。尚、上記メッセージのうち「体温や水分量が戻りつつあります」というのは、新たな現在の状況を示すものであり、また、上記メッセージのうち「念のため病院に連れて行ってあげて下さい」というのは、助言を受けた者が新たに執るべき行動を示すものである。
【００７９】
そして、予め通報を受けて駆け付けた救急車でユーザ（病人）が病院に搬送されると、そこで治療を受けた病人は体調を回復するようになり、よって体温や心拍数、それに肌水分量が適値で落ち着くようになる。従って、この場合、制御回路３６は、「体調が回復しましたので気を付けてお帰り下さい。」という内容のメッセージを文字や絵でディスプレイ３７上に表示するとともに、かかる内容の音声メッセージをスピーカ３８から流す。
【００８０】
尚、上記メッセージのうち「体調が回復しました」というのは、新たな現在の状況を示すものであり、また、上記メッセージのうち「気を付けてお帰り下さい」というのは、助言を受けた者（この場合、ユーザ本人）が新たに執るべき行動を示すものであり、且つ先の助言を断ち切るものに他ならない。従って、この具体例３についても、先の具体例１や具体例２と同様に、先の助言が行われて以後、新たな現在の状況が改善を要する状況でなくなったとき、その新たな現在の状況が示唆された上で、先の助言が断ち切られるようになっていると言える。
【００８１】
以上、詳述したように本実施形態によれば、次のような作用、効果を得ることができる。
（１）現在の状況が改善を要する状況であるとき、現在の状況が改善されるために必要な事項を理解できる態様での助言がディスプレイ３７及びスピーカ３８を通じて行われるので、この助言から理解できる事項を満足すれば状況を改善できるようになる。つまり、状況が改善されるように指南することができる。
【００８２】
（２）現在の状況が改善を要する状況であるとき、助言を受けた者が執るべき行動が理解できる態様での助言がディスプレイ３７及びスピーカ３８を通じて行われるので、それを受ける者にしてみれば、どのような行動を執れば状況が改善されるのか明白になる。つまり、状況改善の高効率化に貢献できる。
【００８３】
（３）現在の状況が改善を要する状況であるとき、その現在の状況が示唆された上で、助言を受けた者が執るべき行動が理解できる態様での助言がディスプレイ３７及びスピーカ３８を通じて行われるので、このような助言を受ける者にしてみれば、現在の状況が示唆されることで、なぜ助言に沿った行動を執らなければならないのかその理由が明白になる。つまり、なぜ助言に沿った行動を執らなければならないかその根拠を示唆することで、助言に沿った行動を確実に執らせることができる。
【００８４】
（４）状況改善目的の助言が行われて以後、新たな現在の状況が改善を要する状況でなくなったとき、状況改善目的の助言が断ち切られる。つまり、改善を要する状況が改善されれば助言が断ち切られるので、必要以上に助言が行われることを回避できる。
【００８５】
（５）状況改善目的の助言が行われて以後、新たな現在の状況が改善を要する状況でなくなったとき、その新たな現在の状況が示唆された上で、状況改善目的の助言が断ち切られるので、これを受ける者にしてみれば、なぜ助言が断ち切られるのかその理由が明白になる。つまり、なぜ助言が断ち切られるのかその根拠を示唆することで、必要以上の行動を執らせないようにできる。
【００８６】
（６）スピーカ３８を通じた音声メッセージによる助言が行われるので、状況改善助言装置１の装着者本人のみならず、その者の周辺に存在する者に対しても助言を行うことができる。従って、具体例３の如く状況改善助言装置１の装着者本人が自立できない程に体調を崩したような場合でも、他人の力を借りて状況改善助言装置１の装着者の状況を改善することができる。
【００８７】
（７）スピーカ３８を通じた助言に加えてディスプレイ３７を通じた表示による助言が行われるので、スピーカ３８による助言が完了した後も、引き続きディスプレイ３７による助言を行うようにすれば、音声メッセージを聞き逃した場合でも、ディスプレイ３７上の表示内容に沿った行動を執ることで状況を改善することができる。
【００８８】
尚、前記実施形態は、次のように変更して具体化することも可能である。
・ディスプレイ３７やスピーカ３８は、装置本体３に内蔵されることに代えて又は加えて、別体で車内や建物内に設けられていてもよい。この場合、状況改善助言装置１とそれとは別体の助言装置（ディスプレイ３７のような表示による助言装置やスピーカ３８のような音による助言装置）との間において有線或いは無線による通信を行うとともに、その通信により状況改善助言装置１から助言装置へ助言内容を示すデータを送信する。そして、そのデータを受信した助言装置を通じて、前記実施形態と同様の助言、或いはそれ以上の細部に及ぶ助言が行われるようにしてもよい。
【００８９】
尚、表示による助言装置や音による助言装置を車両内に設ける場合、それらをカーナビゲーションシステムに供されるもので兼用してもよい。また、表示による助言装置や音による助言装置を建物内に設ける場合、それらをパソコンやステレオで兼用してもよい。
【００９０】
このように構成すれば、人に装着される装置本体３からディスプレイ３７やスピーカ３８を割愛することが可能となり、よって装置本体３を小型軽量化できるとともに、それ故にウェアラブルな装置本体３を提供できる。しかも、この場合、ディスプレイ３７は人への装着から切り離すことが可能となり、よってディスプレイ３７にあって大きさに制約を受け難くなるから、つまり広い画面を用いて助言内容を表示できることになるから、細部に及ぶ助言を行うことができる。
【００９１】
・温度センサ装置４〜肌水分量センサ装置９等のセンサ装置の少なくとも１つは、予め装置本体３に内蔵されていてもよい。
・センサ装置として、ユーザを取り巻いている環境の気圧を検出する気圧センサ、ユーザを取り巻いている環境の酸素濃度を検出する酸素濃度センサ、ユーザの血圧を検出する血圧センサ、ユーザのシワの進度を検出するシワ進度センサ、ユーザの肌のキメ度を検出する肌キメ度センサ、ユーザの肌の弾力を検出する肌弾力センサ等を採用してもよい。
【００９２】
・状況改善助言装置１は、ユーザの腕に装着される腕時計型或いはブレスレット型に限らず、ユーザの首に掛けられるネックレス型或いはペンダント型、その他にも眼鏡型、指輪型等であってもよい。要は、監視対象となる状況がユーザの生体情報であるならば、状況改善助言装置１は、人体に接触されるもの、特に人体に密着されるものであることが好ましい。また、人として車両の運転者を想定するならば、その者が乗車するか否かに拘わらず、普段から人体に装着されるもの、例えば、装置本体３に腕時計が一体化されるとともに、それに所望のセンサ装置が取り付けられたものであることが好ましい。
【００９３】
・対応する電子キーのアンロックボタン（ロックボタン）が操作されたときに、自動車等の車両或いは住宅等の建物のドア施解錠制御装置によりドアの解錠（施錠）を許可する、いわゆるキーレスシステムに供される電子キーに必要な機能（キーレス機能）が前記実施形態の装置本体３に内蔵されていてもよい。ここに、装置本体３に内蔵されるキーレス機能とは、アンロックボタン（ロックボタン）が操作されたとき、ドアの解錠（施錠）を要求する解錠要求コード（施錠要求コード）と、装置本体３（電子キー）毎に個別に設定されたＩＤコードとを含むＩＤコード信号を送信する機能を指す。尚、このようなＩＤコード信号がドア施解錠制御装置により受信されたとき、これに含まれるＩＤコードと基準ＩＤコードとの照合が行われるとともに、それらが一致したことを条件としてドアの解錠（施錠）が許可される。
【００９４】
或いは、対応する電子キーがドアの近くに存在していることを条件として、自動車等の車両或いは住宅等の建物のドア施解錠制御装置によりドアの解錠（施錠）を許可する、いわゆるスマートシステムに供される電子キーに必要な機能（スマート機能）が前記実施形態の装置本体３に内蔵されていてもよい。ここに、装置本体３に内蔵されるスマート機能とは、ドアに対する装置本体３の接近を監視する目的でドア施解錠制御装置から定期的に送信されるリクエスト信号を受信したとき、それに応答して、装置本体３（電子キー）毎に個別に設定されたＩＤコードを含むＩＤコード信号を送信する機能を指す。尚、このようなＩＤコード信号がドア施解錠制御装置により受信されたとき、これに含まれるＩＤコードと基準ＩＤコードとの照合が行われるとともに、それらが一致したことを条件としてドアの解錠（施錠）が許可される。
【００９５】
ちなみに、装置本体３にスマート機能が内蔵されていれば、ドアの施解錠のみならず、車両のエンジン始動についても許可されるようにすることも可能となる。
これらのように装置本体３にキーレス機能或いはスマート機能或いはそれらの両方が内蔵されているとき、車両の運転者或いは建物の住人等のユーザは、電子キーと状況改善助言装置１との両方、つまり２つの物を所持する必要がなくなり、よって極めて携帯性に優れる。尚、キーレス機能やスマート機能に関して、それらを車両と建物との両方に用いることが可能な構成を採用したとき、車両用のキー、建物用のキー、状況改善助言装置１、といった３つの物を所持する必要がなくなり、よってさらに携帯性に優れる。
【００９６】
また、装置本体３にキーレス機能が内蔵されている場合、装置本体３から車両・建物へＩＤコード信号を送信するに際して、ユーザの生活環境やユーザの体調に関する情報を車両・建物側へ送信すれば、それを車両・建物側において利用することができる。
【００９７】
さらに、装置本体３にスマート機能が内蔵されている場合、装置本体３から車両・建物へＩＤコード信号を送信するに際して、ユーザの生活環境やユーザの体調に関する情報を車両・建物側へ送信すれば、それを車両・建物側において利用することができる。また、それとは逆に、車両・建物から装置本体３へリクエスト信号を送信するに際して、車両・建物側の情報を装置本体３側へ送信すれば、それを装置本体３側において利用することができる。例えば、後者に関して言えば、車両・建物側の設定を変更するような場合に、その変更が行われたことをユーザに伝える、いわゆるアンサーバックに利用することができる。
【図面の簡単な説明】
【００９８】
【図１】（ａ）は状況改善助言装置の構成を示す平面図であり、（ｂ）は状況改善助言装置の構成を少し拡大して示す断面図。
【図２】状況改善助言装置の電気的構成を示すブロック図。
【符号の説明】
【００９９】
１…状況改善助言装置、４…温度センサ装置（センサ装置）、５…湿度センサ装置（センサ装置）、６…紫外線量センサ装置（センサ装置）、７…体温センサ装置（センサ装置）、８…心拍数センサ装置（センサ装置）、９…肌水分量センサ装置（センサ装置）、３６…制御回路（現状把握手段）、３７…ディスプレイ（助言手段）、３８…スピーカ（助言手段）。
【図１】
2008119198.tif 000003
【図２】
2008119198.tif 000004